(57)【要約】【課題】誤接続を防止した配線用差込接続器を提供する。【解決手段】直流電源を給電するための配線用差込接続器を、プラス極とマイナス極と接地極の３本の栓刃を具備し、３本の栓刃の形態を既存の交流電源用コンセントが具備する栓刃挿入孔に入らないような形態とした直流電源用差込プラグと、直流電源用差込プラグの具備する３本の栓刃がそれぞれ挿入される３個で１組の栓刃挿入孔２４ａ〜２４ｃ、及び、各栓刃挿入孔２４ａ〜２４ｃから内部に挿入された栓刃をそれぞれ受ける刃受ばね２６を具備し、１つの組をなす３個の栓刃挿入孔２４ａ〜２４ｃの形態を既存の交流電源用差込プラグが入らないような形態とした直流電源用コンセント１とで構成した。【選択図】　　　図１
2004031088.tif 000002
【特許請求の範囲】
【請求項１】
プラス極とマイナス極と接地極の３本の栓刃を具備し、３本の栓刃の形態を既存の交流電源用コンセントが具備する栓刃挿入孔に入らないような形態とした直流電源用差込プラグと、直流電源用差込プラグの具備する３本の栓刃がそれぞれ挿入される３個で１組の栓刃挿入孔、及び各栓刃挿入孔から内部に挿入された栓刃をそれぞれ受ける刃受ばねを具備し、組をなす３個の栓刃挿入孔の形態を既存の交流電源用差込プラグが入らないような形態とした直流電源用コンセントとで構成したことを特徴とする配線用差込接続器。
【請求項２】
上記直流電源用コンセントを、前面に３個で１組の上記栓刃挿入孔が形成された器体、当該器体に収納され各栓刃挿入孔から内部に挿入される栓刃をそれぞれ受ける上記刃受ばねを具備し、外部の直流電源からそれぞれ給電される複数個のコンセントブロックと、複数個のコンセントブロックが前面を露出させた状態で取り付けられる外殻とで構成したことを特徴とする請求項１記載の配線用差込接続器。
【請求項３】
上記各コンセントブロックは各刃受けばねにそれぞれ電気的に接続された３個の外部接続端子を備え、各コンセントブロックを外殻に対して一定の間隔で一列に配列するとともに、外殻の内部に、細長の導電板からなり直流電源のプラス極、マイナス極、及び接地極に電線を介してそれぞれ接続され長手方向に沿って一定の間隔で前記外部接続端子が接続される接続片を有する３本の端子板を収納し、３本の端子板の内の少なくとも２本を同一形状としたことを特徴とする請求項２記載の配線用差込接続器。
【請求項４】
上記直流電源用差込プラグに、上記直流電源用コンセントに設けた係止凹部に係止離脱自在に係止する弾性係止片を設けたことを特徴とする請求項１乃至請求項３の何れかに記載の配線用差込接続器。
【請求項５】
上記弾性係止片と上記３本の栓刃とを頂点とする四角形の重心位置から弾性係止片及び各栓刃までの距離が略等しくなるように弾性係止片と３本の栓刃とを配置したことを特徴とする請求項４記載の配線用差込接続器。
【請求項６】
上記各コンセントブロックの器体は、前面が開口した略箱状であって内部に３個の刃受ばねが嵌合固定されるボディと、ボディの前面に被着され各刃受ばねに対応する部位に栓刃挿入孔が開口する平板状のカバーとで構成され、ボディに設けた被係止部と凹凸係止する弾性係止部をカバーに設けるとともに、上記器体を外殻に設けた取付孔に前面側から挿入した際にカバーの後面との間で取付孔の開口縁を挟持する弾性挟持片を器体に設けたことを特徴とする請求項２記載の配線用差込接続器。
【請求項７】
上記直流電源用差込プラグは、３本の栓刃を収納する合成樹脂製の内ケースと、内ケースの外側に二次成形された合成樹脂製の外ケースとで構成され、前記内ケースを、前面から３本の栓刃を突出させた状態で３本の栓刃が取り付けられる平板状のベース部と、ベース部の前面を露出させる窓孔を有する枠体及び当該枠体にヒンジ部を介してそれぞれ連結された半割体からなりヒンジ部を曲げて両半割体を結合することで全体として筒体を形成するカバー部とで構成したことを特徴とする請求項１記載の配線用差込接続器。
【発明の詳細な説明】
【０００１】
【発明の属する技術分野】
本発明は、直流電源を給電するための配線用差込接続器に関するものである。
【０００２】
【従来の技術】
近年、特にデータセンターやコールセンターなどのＩＴ関連施設では、直流電源で動作する機器（例えばルータやサーバなど）が多く用いられており、このような施設においてＡＣ給電する場合は、商用電源を整流、平滑して直流に変換する直流電源装置と、停電時のバックアップ用バッテリとを設け、直流電源装置又はバッテリから給電された直流をインバータ部で交流に変換してＡＣ給電し、機器の内蔵する直流電源部で交流を直流に変換して動作電源を得ているため、ＡＣ−ＤＣ変換及びＤＣ−ＡＣ変換の段数が多いために変換ロスが増加したり、信頼性が低下するという問題があった。そこで、省エネルギーや信頼性の向上を目的として、特にＩＴ関連の施設においてＤＣ給電が普及しつつあり、ＤＣ給電のための配線用差込接続器が提供されている。
【０００３】
直流電源用のコンセントや差込プラグでは、既存の交流電源用の差込プラグ又はコンセントとの誤接続を防止するために、直流電源用コンセントの栓刃挿入孔の形態を、既存の交流電源用のコンセントと同じにならないように設定するとともに、直流電源用差込プラグの栓刃の形態を、既存の交流電源用のプラグと同じにならないように設定してある。ここにおいて、栓刃挿入孔及び栓刃の形態とは、栓刃挿入孔及び栓刃の形状、寸法、配置のことを言う。
【０００４】
図１５（ａ）（ｂ）は従来の直流電源用コンセント１００を示し、器体の前面には電源用の栓刃がそれぞれ挿入される細長の２個の栓刃挿入孔１０１，１０１がハ字形をなすように設けられている。また、図１６（ａ）（ｂ）は従来の直流電源用差込プラグ１１０を示し、プラグ本体の前面には平板状の２本（プラス極とマイナス極）の栓刃１１１，１１１が、栓刃挿入孔１０１，１０１と同様、ハ字形をなすように配置されている。
【０００５】
【発明が解決しようとする課題】
上記構成の直流電源用差込プラグ１１０では、栓刃１１２，１１２の形態が既存の交流電源用プラグの栓刃の形態と同じにならないように、栓刃１１２，１１２をハ字形に配置しているが、図１１（ｂ）に示すようなＡＣ１５Ａ、１２５Ｖ用の２極接地極付き抜け止めコンセントでは、電源用の栓刃が挿入される２個の円弧状の栓刃挿入孔１２０，１２０が同一円周上に配置されているため、直流電源用差込プラグ１１０の栓刃１１２を栓刃挿入孔１２０に無理に押し込むと、プラグ１１０が誤接続されてしまう可能性があった。尚、図中の１２１は接地極用の栓刃が挿入される栓刃挿入孔である。
【０００６】
本発明は上記問題点に鑑みて為されたものであり、その目的とするところは、誤接続を防止した配線用差込接続器を提供することにある。
【０００７】
【課題を解決するための手段】
上記目的を達成するために、請求項１の発明では、プラス極とマイナス極と接地極の３本の栓刃を具備し、３本の栓刃の形態を既存の交流電源用コンセントが具備する栓刃挿入孔に入らないような形態とした直流電源用差込プラグと、直流電源用差込プラグの具備する３本の栓刃がそれぞれ挿入される３個で１組の栓刃挿入孔、及び各栓刃挿入孔から内部に挿入された栓刃をそれぞれ受ける刃受ばねを具備し、組をなす３個の栓刃挿入孔の形態を既存の交流電源用差込プラグが入らないような形態とした直流電源用コンセントとで構成したことを特徴とする。
【０００８】
請求項２の発明では、請求項１の発明において、上記直流電源用コンセントを、前面に３個で１組の上記栓刃挿入孔が形成された器体、当該器体に収納され各栓刃挿入孔から内部に挿入される栓刃をそれぞれ受ける上記刃受ばねを具備し、外部の直流電源からそれぞれ給電される複数個のコンセントブロックと、複数個のコンセントブロックが前面を露出させた状態で取り付けられる外殻とで構成したことを特徴とする。
【０００９】
請求項３の発明では、請求項２の発明において、上記各コンセントブロックは各刃受けばねにそれぞれ電気的に接続された３個の外部接続端子を備え、各コンセントブロックを外殻に対して一定の間隔で一列に配列するとともに、外殻の内部に、細長の導電板からなり直流電源のプラス極、マイナス極、及び接地極に電線を介してそれぞれ接続され長手方向に沿って一定の間隔で外部接続端子が接続される接続片を有する３本の端子板を収納し、３本の端子板の内の少なくとも２本を同一形状としたことを特徴とする。
【００１０】
請求項４の発明では、請求項１乃至請求項３の何れかの発明において、上記直流電源用差込プラグに、上記直流電源用コンセントに設けた係止凹部に係止離脱自在に係止する弾性係止片を設けたことを特徴とする。
【００１１】
請求項５の発明では、請求項４の発明において、上記弾性係止片と上記３本の栓刃とを頂点とする四角形の重心位置から弾性係止片及び各栓刃までの距離が略等しくなるように弾性係止片と３本の栓刃とを配置したことを特徴とする。
【００１２】
請求項６の発明では、請求項２の発明において、上記各コンセントブロックの器体は、前面が開口した略箱状であって内部に３個の刃受ばねが嵌合固定されるボディと、ボディの前面に被着され各刃受ばねに対応する部位に栓刃挿入孔が開口する平板状のカバーとで構成され、ボディに設けた被係止部と凹凸係止する弾性係止部をカバーに設けるとともに、上記器体を外殻に設けた取付孔に前面側から挿入した際にカバーの後面との間で取付孔の開口縁を挟持する弾性挟持片を器体に設けたことを特徴とする。
【００１３】
請求項７の発明では、請求項１の発明において、上記直流電源用差込プラグは、３本の栓刃を収納する合成樹脂製の内ケースと、内ケースの外側に二次成形された合成樹脂製の外ケースとで構成され、内ケースを、前面から３本の栓刃を突出させた状態で３本の栓刃が取り付けられる平板状のベース部と、ベース部の前面を露出させる窓孔を有する枠体及び当該枠体にヒンジ部を介してそれぞれ連結された半割体からなりヒンジ部を曲げて両半割体を結合することで全体として筒体を形成するカバー部とで構成したことを特徴とする。
【００１４】
【発明の実施の形態】
本発明の実施の形態を図１〜図１４に基づいて説明する。
【００１５】
本実施形態の配線用差込接続器は直流電源の給電に用いられるものであり、直流電源用コンセント１と直流電源用差込プラグ２とで構成される。
【００１６】
先ず直流電源用コンセント（以下、コンセントと略す）１の構成について図１〜図１１を参照して説明する。尚、以下の説明では、特に断りがない場合、図５の矢印ａ，ｂを上下方向、矢印ｃ，ｄを左右方向、矢印ｅ，ｆを前後方向として説明を行う。
【００１７】
コンセント１は、外殻１０と、複数個（本実施形態では例えば１２個）のコンセントブロック２０と、端子ブロック３０と、３本の端子板４１，４１，４２とで構成される。
【００１８】
外殻１０は、後面が開口するとともに長手方向における一方の側面から上面にかけて開口部１１ａが設けられた略箱状の金属製のカバー１１と、平板状であってカバー１１の後面に被着される金属製のボディ１２と、金属板を折曲して断面Ｌ字形に形成されカバー１１の開口部１１ａに着脱自在に取り付けられる端子台カバー１３とで構成され、カバー１１の上面には１２個のコンセントブロック２０がそれぞれ嵌め込まれる凸型の取付孔１１ｃが一列に貫設されている。ここで、カバー１１とボディ１２とは、ボディ１２の挿通孔１２ｂに通した固定ねじ１４をカバー１１のねじ部（図示せず）に螺合することにより、結合される。なお、ボディ１２の左右両側縁からは補強用のリブ１２ａ，１２ａが上向きに突設されており、カバー１１とボディ１２とを結合した状態では、カバー１１の左右両側壁の内側面にリブ１２ａ，１２ａが当接するようになっている。また、ボディ１２の前後方向における両端部には、カバー１１を取り付けた状態でカバー１１の外側に露出する部位に、外殻１０を被固定部に固定するための固定ねじを挿通するだるま孔状の取付孔１２ｄ，１２ｄが形成されている。
【００１９】
端子ブロック３０は、合成樹脂製の端子台３１と、金属板からなる３枚の端子板３２と、６個の座金付の端子ねじ３３などで構成される。各端子板３２には前後方向の両端部にねじ孔３２ａが形成されており、各ねじ孔３２ａに端子ねじ３３が螺着されている。端子台３１は略箱形であって、その上面には３枚の端子板３２が並べて配置され、固定ねじ３４によりねじ固定されている。ここで、端子台３１の上面には、左右両側部と隣接する端子板３２の間の部位とに上方に突出する隔壁３１ａが突設されており、これらの隔壁３１ａによって端子板３２の間が電気的に絶縁されている。
【００２０】
端子ブロック３０は、図７に示すようにカバー１１の開口部１１ａに臨むようにしてボディ１２に取り付けられる。すなわち、端子台３１の前後方向における両側面には、透孔３１ｃを有する舌片３１ｂが突設されており、固定ねじ３５をボディ１２の下面側からボディ１２の孔１２ｃと舌片３１ｂの透孔３１ｃとに通してナット３６に螺合することで、端子台３１がボディ１２に固定される。そして、カバー１１の開口部１１ａは端子台カバー１３によって着脱自在に覆われる。ここに、端子台カバー１３の上片に設けた挿通孔１３ａに固定ねじ１５を挿通して、固定ねじ１５をカバー１１に設けたねじ孔１１ｂに螺合することによってカバー１１と端子台カバー１３とが結合されるのである。尚、端子台カバー１３の横片には、下端部中央に電線挿通用の切欠１３ｂが設けられており、この切欠１３ｂの側縁には電線保護用の樹脂製のブッシング１６が嵌め込まれている。
【００２１】
次にコンセントブロック２０の構成を図１〜図４を参照して説明する。コンセントブロック２０の器体２１は、ともに合成樹脂成型品からなる前面が開口した略箱形のボディ２２と、前面から見た形状が矩形状に形成されボディ２２の開口を覆うようにしてボディ２２に被着されるカバー２３とで構成される。カバー２３の下面には２個の組立片２３ａ（弾性係止部）が下方に向かって突設され、各組立片２３ａにはそれぞれ組立孔２３ｂが開口している。一方、ボディ２２の上部側面には組立爪２２ａ（被係止部）が突設されており、組立片２３ａの組立孔２３ｂを組立爪２２ａに係合することによって、ボディ２２とカバー２３とが結合される。而して、ボディ２２とカバー２３とを結合するために別途の部材を用いる必要がなく、部品点数を少なくして小型化を図ることができる。
【００２２】
カバー２３の上面略中央には、差込プラグ２の具備する平板状の３本の栓刃がそれぞれ挿入される栓刃挿入孔２４ａ〜２４ｃが形成されている。３個の栓刃挿入孔２４ａ〜２４ｃは矩形状であって、縦横の長さが略同じ寸法に形成されており、図２及び図１１（ａ）に示すようにプラス極の栓刃挿入孔２４ａと、マイナス極の栓刃挿入孔２４ｂとはＴ字をなすように配置され、接地極の栓刃挿入孔２４ｃはマイナス極の栓刃挿入孔２４ｂと略平行であって、プラス極の栓刃挿入孔２４ａ側に位置をずらして配置されている。ここで、３個の栓刃挿入孔２４ａ〜２４ｃの形態（形状、寸法、配置など）は、既存の（日本国内において使用されている略全ての）交流電源用差込プラグが入らないような形態となっているので、交流電源用差込プラグの誤接続を防止できる。尚、栓刃挿入孔２４ａ〜２４ｃの形態を上記の形態に限定する趣旨のものではなく、既存の交流電源用差込プラグが入らないような形態であれば、どのような形態としても良い。
【００２３】
また、カバー２３の上面一側には後述する差込プラグ２のロック片８０（弾性係止片）が係止する係止孔２３ｃ（係止凹部）が開口している。また、カバー２３の下面には、各組立片２３ａの両側に弾性挟持片２３ｄが突設されている。弾性挟持片２３ｄは略Ｖ字形であって、一側片の先端がカバー２３の下面に結合されており、他側片は上向きに突出し、上側に行くほど外側への突出量が大きくなるように形成されている。
【００２４】
一方、ボディ２２の内部は隔壁２２ｂによって３つの空間に仕切られ、各栓刃挿入孔２４ａ〜２４ｃにそれぞれ連通する収納室２５ａ〜２５ｃが設けられており、各収納室２５ａ〜２５ｃにはそれぞれ導電体２６が収納されている。各導電体２６は弾性を有する導電性の良好な金属板を折り曲げて形成され、後述する端子板４１，４２が下端部に接続される外部接続端子２７と、外部接続端子２７の上端部から略対向して上方に突出する一対のばね片２８ａ，２８ａからなる刃受ばね２８とで構成される。一対のばね片２８ａ，２８ａはそれぞれ先端側が幅広に形成され、栓刃挿入孔２４ａ〜２４ｃに挿通される栓刃を挟持することによって、各栓刃と導電体２６とが電気的に接続されるようになっている。尚、コンセントブロック２は、栓刃挿入孔２４ａ〜２４ｃの形態以外は既存の交流電源用のものと同様の構成を有しているので、既存の部品を流用でき、製品化に必要な投資を少なくできる。
【００２５】
ここで、コンセントブロック２０を組み立てる際は、ボディ２２の各収納室２５ａ〜２５ｃに、それぞれ外部接続端子２７を下向きにして導電体２６を上側から挿入して、ボディ２２に圧入固定した後、カバー２３を上側から被せて、カバー２３の組立孔２３ｂにボディ２２の組立爪２２ａを係合させることによって、組立作業が完了する。尚、組立完了状態において、各導電体２６の外部接続端子２７はボディ２２の底面に形成した透孔から外側に突出するようになっている。
【００２６】
また、端子板４１は導電性の良好な金属板により形成され、細長い平板状であって一定の間隔で透孔４１ｂが形成された連結片４１ａと、連結片４１ａの一方の側縁に一定の間隔で設けられた断面Ｌ字形の１２個の接続片４１ｃとで構成され、各接続片４１ｃの先端部にはコンセントブロック２０の外部接続端子２７が挿入される透孔４１ｄが形成されている。一方、端子板４２は導電性の良好な金属板により形成され、細長い平板状であって一定の間隔で透孔４２ｂが形成された連結片４２ａと、連結片４２ａの一方の側縁に一定の間隔で設けられたＬ字形の１２個の接続片４２ｃとで構成され、各接続片４２ｃの先端部にはコンセントブロック２０の外部接続端子２７が挿入される透孔４２ｄが形成されている。ここで、各端子板４１，４２の連結片４１ａ，４２ａには、それぞれコンセントブロック２０の外部接続端子２７に接続される複数の接続片４１ｃ，４２ｃが一定の間隔で設けられており、コンセントブロック２０の数に合わせて連結片４１ａ，４２を所望の長さに切断し、接続片４１ｃ，４２ｃの個数を異ならせることで、口数の異なるコンセントにも容易に対応できる。また、３本の端子板の内、マイナス極と接地極の２本の端子板４２を同一の形状としているので、部品を共通化することでコストダウンが図れる。
【００２７】
以下に、コンセント１の組立方法について説明する。先ず、カバー１１に設けた取付孔１１ｃに上面側からコンセントブロック２０を嵌め込むと、弾性挟持片２３ｄが取付孔１１ｃの端縁を乗り越えて、カバー１１の裏面との間で取付孔１１ｃの開口縁を挟持することにより、コンセントブロック２０がカバー１１に固定される。次に、図８に示すように各コンセントブロック２０のプラス極の外部接続端子２７を端子板４２の接続片４２ｃに設けた透孔４２ｄに挿入して、半田などにより電気的に接続することで、各コンセントブロック２０のプラス極の導電体２６を電気的に接続するとともに、マイナス極の外部接続端子２７を端子板４１の接続片４１ｃに設けた透孔４１ｄを挿入して、半田などにより電気的に接続することで、各コンセントブロック２０のマイナス極の導電体２６を電気的に接続する。さらに、各コンセントブロック２０の接地極の外部接続端子２７を別の端子板４１の接続片４１ｃに設けた透孔４１ｄを挿入して、半田などにより電気的に接続することで、各コンセントブロック２０の接地極の導電体２６を電気的に接続する。そして、端子ブロック３０を固定したボディ１２にカバー１１をねじ止めし、各端子板４１，４１，４２の透孔４１ｂ，４１ｂ，４２ｂに一端がそれぞれ接続されたリード線を端子ブロック３０の端子板３２に端子ねじ３３を用いてねじ止めすることで、各端子板３２と各コンセントブロック２０の導電体２６とが電気的に接続される。而して、端子ブロック３０の各端子板３２に直流電源からの給電線を端子ねじ３３を用いて結線すれば、端子板４１，４１，４２を介して各コンセントブロック２０に直流電源が供給されるのである。最後に、カバー１１に端子台カバー１３をねじ止めすることで、組立作業が完了する。尚、端子ブロック３０に結線された給電線は端子台カバー１３に設けた切欠１３ｂから外部に引き出されるようになっている。
【００２８】
上述のようにコンセントブロック２０の器体２１は、取付孔１１ｃに嵌め込むだけでカバー１１に取り付けられるので、別途の部材を用いて器体２１を取り付ける必要がなく、部品数を少なくして小型化が図れる。また、コンセントブロック２０を必要な数だけ外殻１０に取り付けることで、所望の口数のコンセントを提供でき、各コンセントブロック２０の部品を共用化できるので、量産効果によるコストダウンが期待できる。
【００２９】
次に、直流電源用差込プラグ（以下、差込プラグと略す）２の構成について図１２〜図１４を参照して説明する。この差込プラグ２は、内ケース５０と、外ケース６０と、平板状の３本（プラス極とマイナス極と接地極）の栓刃７０ａ〜７０ｃと、ロック片８０などから構成される。
【００３０】
内ケース５０は、ともに合成樹脂成型品からなるベース部５１とカバー部５２とで構成される。ベース部５１は平板状であって前面から見た形状が略正方形状に形成されており、３本の栓刃７０ａ〜７０ｃがそれぞれ挿入される３個の透孔５１ａが貫設されている。また、各透孔５１ａの近傍にはそれぞれ一対の係合穴５１ｂ，５１ｂが形成されている。
【００３１】
カバー部５２は、ベース部５１の前面を露出させる角孔５３ａを有する枠体５３と、枠体５３の対向する２つの枠片にヒンジ部を介して連結された半割体５４，５５とで構成され、ヒンジ部を曲げて両半割体５４，５５を結合することによって、全体として１つの筒体を構成するようになっている。このように、カバー部５２を構成するベース部５１と半割体５４，５５とをヒンジ部を介して連結しているので、部品数を少なくして小型化することができる。尚、各半割体５４，５５の枠体５３との突き合わせ面には、枠体５３の穴５３ｂに嵌合する突起５４ａ，５５ａが突設されている。
【００３２】
また一方の半割体５４には、コンセント１との接続状態を固定するロック片８０が取り付けられる。このロック片８０は合成樹脂などの可撓性を有する材料で形成され、先端縁の下面に横方向に走る突条形状の爪８１が形成されると共に、下面中央から突設された断面形状がＬ字状の弾性片８２の横片の下面に半割体５４に弾性係止される２本の固定片８３を垂設してある。また、ロック片８０の解除時に指で操作される上面には、横方向に走る複数条の突条からなる滑り止め８４を形成してある。なお、半割体５４の下部には挿入孔５４ｄを貫設しており、この挿入孔５４ｄに各固定片８３を挿入し、固定片８３の先端に形成した爪を挿入孔５４ｄの内側の開口縁に係止させることによって、ロック片８０が半割体５４に固定されるようになっている。
【００３３】
３本の栓刃７０ａ〜７０ｃはそれぞれ細長の矩形板状に形成され、長手方向の一端には電線を接続するための端子片７１が一体に設けられており、端子片７１には電線締付用の座金付の端子ねじ７３が螺着されるねじ孔７２が形成されている。また、栓刃７０ａ〜７０ｃの長手方向における中間部には両側縁からＬ字形のかしめ片７４が突設されている。
【００３４】
ここで、差込プラグ２の組立方法について説明する。先ず栓刃７０ａ〜７０ｃをベース部５１の透孔５１ａに挿入して、各栓刃７０ａ〜７０ｃのかしめ片７４，７４を係合穴５１ｂ，５１ｂに圧入することにより、各栓刃７０ａ〜７０ｃをベース部５１に固定した後、各栓刃７０ａ〜７０ｃの端子片７１に電線９０の芯線９１を端子ねじ７３を用いてねじ止めする。次にベース部５１をカバー部５２の枠体５３に嵌め込み、両半割体５４，５５を閉じて、一方の半割体５４の挿通孔５４ｃ，５４ｃに挿通したタッピングねじ５７，５７を他方の半割体５５にねじ込むことで、両半割体５４，５５を突き合わせた状態で固定する。ここでベース部５１の周部には鍔５１ｃが突設されており、鍔５１ｃの下面が枠体５３の枠片と当接することで、ベース部５１の下方への移動が規制される。また、両半割体５４，５５に内面に突設したリブ５４ｂ，５５ｂがベース部５１の上面と当接することによって、ベース部５１の上方への移動が規制されるようになっている。また、両半割体５４，５５の突き合わせ面には、突き合わせた状態で電線挿通孔５６を構成する切欠５６ａ，５６ｂが形成されており、この電線挿通孔５６から各栓刃７０ａ〜７０ｃに接続された電線９０が引き出されるようになっている。最後に内ケース５０の周りに外ケース６０を二次成形することによって、差込プラグ２の組立が完了する。
【００３５】
３本の栓刃７０ａ〜７０ｃの形態（形状、寸法、配置など）は、コンセント１の有する３個の栓刃挿入孔２４ａ〜２４ｃの形態に対応しており、図１２（ｂ）に示すようにプラス極の栓刃７０ａとマイナス極の栓刃７０ｂとはＴ字をなすように配置され、接地極の栓刃７０ｃはマイナス極の栓刃７０ｂと略平行であって、プラス極の栓刃７０ａ側に位置をずらして配置されている。ここで、３本の栓刃７０ａ〜７０ｃの形態は既存の（日本国内において使用されている略全ての）交流電源用コンセントに差し込めないような形態となっているので、交流電源用コンセントへの誤接続を防止できる。尚、３本の栓刃７０ａ〜７０ｃの形態を上記の形態に限定する趣旨のものではなく、既存の交流電源用コンセントに差し込めないような形態であれば、どのような形態としても良い。
【００３６】
また、差込プラグ２にはコンセント１に設けた係止孔２３ｃと係止するロック片８０が設けてあり、差込プラグ２をコンセント１に差し込むとロック片８０の爪８１が係止孔２ｃと凹凸係止することによって、差込プラグ２の抜け止めが行われる。また、ロック片８０の上面を押すと、弾性片８２が撓んで爪８１と係止孔２ｃとの係止状態が解除されるので差込プラグ２を容易に引き抜くことができる。また、３本の栓刃７０ａ〜７０ｃとロック片８０の位置は、各栓刃７０ａ〜７０ｃとロック片８０とを頂点とする四角形の重心位置から各栓刃７０ａ〜７０ｃ及びロック片８０までの距離が略等しくなるように配置されている。ここで、３本の栓刃７０ａ〜７０ｃが片寄って配置されていると、差込プラグ２をコンセント１に差し込む際に差込プラグ２の片側に片寄って力がかかる虞があるが、３本の栓刃７０ａ〜７０ｃをバランス良く配置しているので、プラグ差込時に差込プラグ２にかかる力が均一になり、差込作業を容易に行え、且つ差込プラグ２をコンセント１に接続した状態で差込プラグ２に外力が加わった際にロック片８０と３本の栓刃７０ａ〜７０ｃとで均等に力を受けることができ、差込プラグ２の脱落を防止できる。
【００３７】
ところで、コンセント１の刃受ばね２８ａに差込プラグ２の栓刃７０ａ〜７０ｃを抜き差しする際にはアークが発生することがあり、このため栓刃７０ａ〜７０ｃと刃受ばね２８ａとの接触部で発熱することがあるから、栓刃７０ａ〜７０ｃを納装する内ケース５０には特に耐熱性が要求される。一方、差込プラグ２の外ケース６０は、落下したり他の物品に衝突したりすることがあるため、耐衝撃性が要求される。ここで、耐熱性と耐衝撃性とを同一材料で満足させるのは困難であるために、本実施形態では、耐熱性を有する熱硬化性合成樹脂にて内ケース５０を形成すると共に、耐衝撃性を有する熱可塑性合成樹脂から成る外ケース６０で内ケース５０を覆うようにしており、内ケース５０と外ケース６０とを所望の特性の樹脂で形成することができる。もちろん、内ケース５０と外ケース６０の両方を熱塑性樹脂で成形してもよく、また両方を熱硬化性樹脂で成形してもよいものである。
【００３８】
【発明の効果】
上述のように、請求項１の発明は、プラス極とマイナス極と接地極の３本の栓刃を具備し、３本の栓刃の形態を既存の交流電源用コンセントが具備する栓刃挿入孔に入らないような形態とした直流電源用差込プラグと、直流電源用差込プラグの具備する３本の栓刃がそれぞれ挿入される３個で１組の栓刃挿入孔、及び各栓刃挿入孔から内部に挿入された栓刃をそれぞれ受ける刃受ばねを具備し、組をなす３個の栓刃挿入孔の形態を既存の交流電源用差込プラグが入らないような形態とした直流電源用コンセントとで構成したことを特徴とし、直流電源用差込プラグの具備する３本の栓刃の形態（形状、寸法及び配置など）を、既存の（日本国内において使用される略全ての）交流電源用コンセントが具備する栓刃挿入孔に入らないような形態としているので、直流電源用の差込プラグを誤って交流電源用のコンセントに差し込むのを防止でき、且つ直流電源用コンセントの具備する３個の栓刃挿入孔の形態を、既存の（日本国内において使用される略全ての）交流電源用差込プラグが具備する栓刃が入らないような形態としているので、直流電源用のコンセントに誤って交流電源用の差込プラグを接続するのを防止できる。
【００３９】
請求項２の発明は、請求項１の発明において、上記直流電源用コンセントを、前面に３個で１組の上記栓刃挿入孔が形成された器体、当該器体に収納され各栓刃挿入孔から内部に挿入される栓刃をそれぞれ受ける上記刃受ばねを具備し、外部の直流電源からそれぞれ給電される複数個のコンセントブロックと、複数個のコンセントブロックが前面を露出させた状態で取り付けられる外殻とで構成したことを特徴とし、コンセントブロックを必要な数だけ外殻に取り付けることで、所望の口数のコンセントを提供でき、且つ各コンセントブロックの部品を共用化できるので、量産効果によるコストダウンが期待できる。
【００４０】
請求項３の発明は、請求項２の発明において、上記各コンセントブロックは各刃受けばねにそれぞれ電気的に接続された３個の外部接続端子を備え、各コンセントブロックを外殻に対して一定の間隔で一列に配列するとともに、外殻の内部に、細長の導電板からなり直流電源のプラス極、マイナス極、及び接地極に電線を介してそれぞれ接続され長手方向に沿って一定の間隔で外部接続端子が接続される接続片を有する３本の端子板を収納し、３本の端子板の内の少なくとも２本を同一形状としたことを特徴とし、コンセントブロックの数に合わせて接続片の数を異ならせることで、口数の異なるコンセントにも容易に対応でき、且つ３本の端子板の内の少なくとも２本を同一形状としているので、部品を共通化することでコストダウンが図れる。
【００４１】
請求項４の発明は、請求項１乃至請求項３の何れかの発明において、上記直流電源用差込プラグに、上記直流電源用コンセントに設けた係止凹部に係止離脱自在に係止する弾性係止片を設けたことを特徴とし、差込プラグの抜け止めが行える。
【００４２】
請求項５の発明は、請求項４の発明において、上記弾性係止片と上記３本の栓刃とを頂点とする四角形の重心位置から弾性係止片及び各栓刃までの距離が略等しくなるように弾性係止片と３本の栓刃とを配置したことを特徴とし、３本の栓刃が片寄って配置されていると、差込プラグをコンセントに差し込む際に差込プラグの片側に片寄って力がかかる虞があるが、３本の栓刃をバランス良く配置しているので、プラグ差込時に差込プラグにかかる力が均一になり、差込作業を容易に行えるという効果があり、差込プラグをコンセントに接続した状態で差込プラグに外力が加わった際に弾性係止片と３本の栓刃とで均等に力を受けることもできる。
【００４３】
請求項６の発明は、請求項２の発明において、上記各コンセントブロックの器体は、前面が開口した略箱状であって内部に３個の刃受ばねが嵌合固定されるボディと、ボディの前面に被着され各刃受ばねに対応する部位に栓刃挿入孔が開口する平板状のカバーとで構成され、ボディに設けた被係止部と凹凸係止する弾性係止部をカバーに設けるとともに、上記器体を外殻に設けた取付孔に前面側から挿入した際にカバーの後面との間で取付孔の開口縁を挟持する弾性挟持片を器体に設けたことを特徴とし、ボディとカバーとを結合するために別途の部材を用いる必要がないので、部品点数を少なくして小型化を図ることができ、且つコンセントブロックの器体を外殻の取付孔にはめ込むだけで取り付けることができるので、器体を取り付けるのに別途の部材を用いる必要がなく、部品点数を少なくして小型化を図ることができる。
【００４４】
請求項７の発明は、請求項１の発明において、上記直流電源用差込プラグは、３本の栓刃を収納する合成樹脂製の内ケースと、内ケースの外側に二次成形された合成樹脂製の外ケースとで構成され、内ケースを、前面から３本の栓刃を突出させた状態で３本の栓刃が取り付けられる平板状のベース部と、ベース部の前面を露出させる窓孔を有する枠体及び当該枠体にヒンジ部を介してそれぞれ連結された半割体からなりヒンジ部を曲げて両半割体を結合することで全体として筒体を形成するカバー部とで構成したことを特徴とし、内ケースと外ケースとをそれぞれ合成樹脂により形成しているので、所望の特性の樹脂で形成することができ、且つカバー部を構成する枠体と半割体とをヒンジ部を介して連結しているので、部品数を少なくして小型化を図ることができる。
【図面の簡単な説明】
【図１】本実施形態を構成するコンセントに用いるコンセントブロックの分解斜視図である。
【図２】同上のコンセントに用いるコンセントブロックの上面図である。
【図３】同上のコンセントに用いるコンセントブロックの側面図である。
【図４】同上のコンセントに用いるコンセントブロックの下面図である。
【図５】同上のコンセントの分解斜視図である。
【図６】同上のコンセントを示し、（ａ）は上面図、（ｂ）は一部破断せる側面図である。
【図７】同上のコンセントの端子カバーを外した状態の一部省略せる上面図である。
【図８】同上のコンセントに用いるコンセントブロックと端子板との接続状態の説明図である。
【図９】同上のコンセントに用いる端子板を示し、（ａ）は正面図、（ｂ）は側面図、（ｃ）は斜視図である。
【図１０】同上のコンセントに用いる別の端子板を示し、（ａ）は正面図、（ｂ）は側面図、（ｃ）は斜視図である。
【図１１】（ａ）は同上のコンセントの栓刃挿入孔の配置図、（ｂ）はＡＣ１５Ａ１２５Ｖの２極接地極付きコンセントの栓刃挿入孔の配置図である。
【図１２】同上を構成する差込プラグを示し、（ａ）は正面図、（ｂ）は下面図、（ｃ）はＡ−Ａ’断面図である。
【図１３】同上の差込プラグの分解斜視図である。
【図１４】同上の差込プラグの外ケースを二次成形する前の状態を示し、（ａ）は正面図、（ｂ）は上面図、（ｃ）はカバー部を外した状態の上面図である。
【図１５】従来のコンセントを示し、（ａ）は正面図、（ｂ）は下面図である。
【図１６】従来の差込プラグを示し、（ａ）は正面図、（ｂ）は下面図である。
【符号の説明】
１　直流電源用コンセント
２４ａ〜２４ｃ　栓刃挿入孔
２６　刃受ばね
【図１】
2004031088.tif 000003
【図２】
2004031088.tif 000004
【図３】
2004031088.tif 000005
【図４】
2004031088.tif 000006
【図５】
2004031088.tif 000007
【図６】
2004031088.tif 000008
【図７】
2004031088.tif 000009
【図８】
2004031088.tif 000010
【図９】
2004031088.tif 000011
【図１０】
2004031088.tif 000012
【図１１】
2004031088.tif 000013
【図１２】
2004031088.tif 000014
【図１３】
2004031088.tif 000015
【図１４】
2004031088.tif 000016
【図１５】
2004031088.tif 000017
【図１６】
2004031088.tif 000018